(57)【要約】【課題】貴金属製装飾ピースを数珠繋ぎにしてなる装身具において、外観上では分からない構成を付加することで、貴金属製装飾ピースのずれや緩みを防止し、かつ、全体の輪形状も適正な形を保持することができるので、見栄えもよく、また、使い勝手のよい装身具を提供する。【解決手段】貴金属製装飾ピース７を数珠繋ぎにしてなる装身具において、ワイヤー８をシリコーン樹脂チューブ１１に挿通し、該シリコーン樹脂チューブ１１をもって輪体９を形成し、シリコーン樹脂チューブ１１で貴金属製装飾ピース７を繋いだ。【選択図】  図１
2016083025.tif 000002
【特許請求の範囲】
【請求項１】
貴金属製装飾ピースを数珠繋ぎにしてなる装身具において、ワイヤーをシリコーン樹脂チューブに挿通し、該シリコーン樹脂チューブをもって輪体を形成し、シリコーン樹脂チューブで貴金属製装飾ピースを繋いだことを特徴とする装身具。
【請求項２】
ワイヤーはクラスプに接続し、シリコーン樹脂チューブ端は貴金属製装飾ピース内に収め、外側に露出させない請求項１記載の装身具。
【発明の詳細な説明】
【技術分野】
【０００１】
本発明は、アクセサリーとして、ネックレスや数珠、ブレスレット等に使用する装身具に関するものである。
【背景技術】
【０００２】
従来、ネックレスや数珠、ブレスレット等の貴石や真珠、貴金属からなる装飾部材を連結した構造の装身具においては、細いワイヤー等の伸縮性のない紐を装飾部材に通した上、紐の開放端部をクラスプ等の連結金具を着脱するようにして連結している。
【０００３】
このようなワイヤーによる数珠つなぎでは、ワイヤーに伸びが生じ、装飾部材同士に隙間を生じたり、全体として適正な輪形状を保つことができないことが多い。
【０００４】
前記不都合を解消するにはワイヤーに緊張力を与えることが考えられ、下記特許文献は引っ張り力をばねで与えることにより、超弾性を有する緊張状態を形成するものとしている。
【特許文献１】特開２００１−３７６１５号公報
【０００５】
前記特許文献１は、図４に示すように、中央に貫通した通路を持つ複数のピース１に、曲げ方向に柔軟性を有したインナーワイヤー２を通し、このインナーワイヤー２に引っ張りの力を与え、その引っ張り力の反力により前記各々のピース１どうしに圧縮力を与えピースどうしが圧接することにより適度な剛性を有した緊張状態となる数珠状ワイヤー装置を形成したものである。
【０００６】
インナーワイヤー２を前記通路１Ａに通し、このインナーワイヤー２に引っ張りの力を加えた状態、かつ圧縮コイルばね３を圧縮した状態で前記インナーワイヤー２の両端をワイヤー止具４及び５で固定した。
【０００７】
圧縮コイルばね３によりインナーワイヤー２が引っ張られ、この引っ張りの力の反力により各々のピース１には圧縮の力が加えられ、各々のピース１はお互いが密着し合っている。
【０００８】
このピース１は端面１Ｂが平面で形成されており、この端面１Ｂどうしが密着し合うため複数のピース１で構成されたピース部１０は外観状一体化し、一定の剛性を持った一本の棒の状態、つまり緊張状態を保つようになる。
【０００９】
なお、シリコンゴムチューブを用いて鎖の強い把持力・狭持力が得られる飾り体、身飾品を提供するものとして、下記特許文献２がある。
【特許文献２】特開２００１−３７６１５号公報
【００１０】
この特許文献２は、図６に示すように、貫通孔１０３を有する飾り体１０４と、前記貫通孔１０３に設けられたチューブ状形態の柔軟性部材（ここではシリコンゴム製部材を使用）からなるとともに、そのチューブ孔を線材通し孔１０５とした柔軟性チューブ部材１０６と、前記線材通し孔５に移動可能に通された鎖からなる線状部材１０７と、前記柔軟性チューブ部材６を押し潰して、押し分けて、締めてないし圧縮して、前記線状部材７の最も幅広の部位、最も太い部位ないし最も大きい径の部位の移動に抵抗を与える抵抗部位１０８を形成している金属製コイルバネ形態の締め付け付勢手段１０９とからなっている。
【００１１】
前記特許文献２によれば、（１）線状通し孔に線状部材を通した状態にあっては、線材通し孔にある線状部材の最も幅の広い部位、最も太い部位ないし径の大きい部位は常に締め付け付勢手段の収縮付勢力によって付勢締め状態とされ、あるいは凸凹部位を有するもので抵抗部位に凹部位が位置する状態では凸部位が該抵抗部位（締め付け付勢手段）によってその移動が抵抗止められる状態とされ、よって飾り体は軽い引き力ないし押し力ではその位置からは動かない位置保持状態とされ、かつ、飾り体本体を指で摘んでの強めの引き操作ないし押し操作では移動させることができる移動可能摩擦状態とされているので、飾り体の好みの位置への安定した保持と位置の移動調整を容易に行えるという効果を奏するとともに、（２）締め付け付勢手段によって飾り体の多数回の移動操作が経過しても、線状部材は柔軟性チューブ部材に保護されているので締め付け付勢手段に当り擦られ損傷したり着色する危険が無く、かつ、付勢手段である締め付け付勢手段によって移動可能摩擦状態の線状部材の移動可能摩擦力（摩擦阻止力）が弱まることが生じないので、常に飾り体の好みの位置への安定した保持力を維持し続けるという効果を奏する。
【発明の概要】
【発明が解決しようとする課題】
【００１２】
アクセサリーとしては、この特許文献１のような圧縮コイルばね等による装置を付加するのではかなり邪魔なものになり、また、見栄えも悪い。
【００１３】
特許文献２では、シリコンゴムチューブを用いることにより強い把持力・狭持力が得られるものの、身飾り品は、真珠玉、金属玉、宝石玉などからなる飾り体本体に貫通孔を有する飾り体の１つ１つに独立してと、シリコンゴム製部材によるチューブ状形態の柔軟性部材を設けるものであり、飾り体本体は鎖からなる線状部材に間隔を存して設けるものであり、貴金属製装飾ピースを数珠繋ぎにしてなるものでもなく、また、シリコンゴムチューブにより適正は輪形状を作り出すものではない。
【００１４】
また、飾り体本体に貫通孔内にシリコンゴム製部材を埋め込むものであり、製作が極めて手がかかり面倒なものであり、飾り体本体もある程度の大きさ以上に限定され、テザイン的な制約も存在する。
【００１５】
本発明の目的は前記従来例の不都合を解消し、貴金属製装飾ピースを数珠繋ぎにしてなる装身具において、外観上では分からない構成を付加することで、貴金属製装飾ピースのずれや緩みを防止し、かつ、全体の輪形状も適正な形を保持することができるので、見栄えもよく、また、使い勝手のよいものであり、製作も容易な装身具を提供することにある。
【課題を解決するための手段】
【００１６】
前記目的を達成するため本発明は、貴金属製装飾ピースを数珠繋ぎにしてなる装身具において、ワイヤーをシリコーン樹脂チューブに挿通し、該シリコーン樹脂チューブをもって輪体を形成し、シリコーン樹脂チューブで貴金属製装飾ピースを繋いだこと、および、ワイヤーはクラスプに接続し、シリコーン樹脂チューブ端は貴金属製装飾ピース内に収め、外側に露出させないことを要旨とするものである。
【００１７】
請求項１記載の本発明によれば、貴金属製装飾ピースを数珠繋ぎにする場合に、ワイヤーと貴金属製装飾ピースとの間にシリコーン樹脂チューブを介在させることにより、シリコーン樹脂チューブの弾性で貴金属製装飾ピースが係止され、ずれることがなく、貴金属製装飾ピース相互に隙間を生じ、動いてしまうこともない。
【００１８】
また、シリコーン樹脂チューブにより貴金属製装飾ピースを数珠繋ぎが作られる円形用は滑らかなものとなり、ワイヤーだけの場合のようにギコギコすることもない。
【００１９】
スムーズな円を確保できる結果、首や手首等の身体への着脱が簡単で、しかも首や手首の周囲にフィットするサイズとすることができる。
【００２０】
製作に関してもシリコーン樹脂チューブに貴金属製装飾ピースを順次挿通させて数珠繋ぎにするだけでよく、シリコーン樹脂チューブを細径にすることで、貴金属製装飾ピースを従来品と同じく小さいものでも使用可能として、従来品と外観が変わらない体裁のよいものが得られる。
【００２１】
請求項２記載の本発明によれば、クラスプはワイヤーに接続するのでクラスプで輪にした場合の強度はワイヤーで確保でき、また、シリコーン樹脂チューブ端は貴金属製装飾ピース内に収め、外側に露出させないのでその存在は外側からはわからず、貴金属身装品としての体裁を損なうこともない。
【発明の効果】
【００２２】
以上述べたように本発明の装身具は、貴金属製装飾ピースを数珠繋ぎにしてなる装身具において、外観上では分からない構成を付加することで、貴金属製装飾ピースのずれや緩みを防止し、かつ、全体の輪形状も適正な形を保持することができるので、見栄えもよく、また、使い勝手のよく、製作も容易なものである。
【発明を実施するための形態】
【００２３】
以下、図面について本発明の実施の形態を詳細に説明する。図１は本発明の装身具の１実施形態を示す一部省略した正面図で、図２は要部の一部切欠いた正面図、図３は要部の斜視図で、図中７は数珠繋ぎにしてなる貴金属製装飾ピースを示す。
【００２４】
貴金属製装飾ピース７は金合金、プラチナ（Ｐｔ）合金等他の貴金属合金で作製するで、特にその形状や模様を問わない。その表面を単に美しく磨き上げるほか、波形やダイヤモンドカットのような作者の自由な模様や形状の彫刻を穿ってもよい。
【００２５】
貴金属製ピース７はこれをワイヤー８により数珠繋ぎにして輪体９を形成するが、図２に示すようにワイヤー８をシリコーン樹脂チューブ１１に挿通し、該シリコーン樹脂チューブ１１をもって輪体９を形成することとした。
【００２６】
貴金属製ピース７の大きさにもよるが、シリコーン樹脂チューブ１１はかなり細径でも製作可能であり、貴金属製ピース７には挿通孔が形成され、シリコーン樹脂チューブ１１は貴金属製装飾ピース７を貫通して、このシリコーン樹脂チューブ１１で数珠繋ぎに貴金属製装飾ピース７が繋がれる。
【００２７】
シリコーン樹脂チューブ１１内を通るワイヤー８は本実施形態ではこれも貴金属製であり、ワイヤー８はクラスプ１２，１３に接続させる。なお、ここでワイヤー８とは連続する線材のみならず、鎖のものも含む概念である。また、糸も含み、貴金属以外のものも使用できる。
【００２８】
前記シリコーン樹脂チューブ１１の端は連続する貴金属製装飾ピース７内に収め、外側に露出させないのが望ましい。
【００２９】
図４は本発明の第２実施形態を示すもので、前記第１実施形態の貴金属製装飾ピース７は俵形状であったものを球体としたものである。貴金属製装飾ピース７の形状には特に限定はなく、また、図示は省略するが全て同一の大きさのものだけでなく大小を組み合わせてもよい。
【産業上の利用可能性】
【００３０】
以上実施形態はネックレスの例で説明したが、本発明はブレスレットなどの他のアクセサリーや仏事に使用する数珠などにも適用可能である。
【図面の簡単な説明】
【００３１】
【図１】本発明の装身具の１実施形態を示す一部省略した正面図である。
【図２】本発明の装身具の１実施形態を示す要部の一部切欠いた正面図である。
【図３】本発明の装身具の１実施形態を示す要部の斜視図である。
【図４】本発明の装身具の他の実施形態を示す一部省略した正面図である。
【図５】従来例を示す斜視図である。
【図６】他の従来例を示す説明図である。
【符号の説明】
【００３２】
１…ピース              １Ａ…通路
１Ｂ…端面              ２…インナーワイヤー
３…圧縮コイルばね      ３Ａ…ピース受部
３Ｂ…インナーワイヤー固定部
４，５…ワイヤー止具      ６…キャップ
７…貴金属製ピース        ８…ワイヤー
９…輪体                  １０…ピース部
１１…シリコーン樹脂チューブ
１２，１３…クラスプ
【図１】
2016083025.tif 000003
【図２】
2016083025.tif 000004
【図３】
2016083025.tif 000005
【図４】
2016083025.tif 000006
【図５】
2016083025.tif 000007
【図６】
2016083025.tif 000008